(57)【要約】【課題】搬送機構によって連続的に搬送される被処理物に流体を噴射して処理を行う物品処理装置における騒音の問題を軽減する遮音機構を提供する。【解決手段】被処理物１０に流体を噴射する処理部１と、処理部１内を通って外部へ延びるコンベア３を有しており被処理物１０の処理部１への搬入及び処理部からの搬出のいずれか一方または両方を行う搬送機構２とを有する物品処理装置６に取り付けられる遮音機構７が、コンベア３のうち処理部１の筐体の外部に位置する部分を覆うとともに、コンベア３による被処理物１０の搬送を妨げないように、内部空間と、内部空間の出入口となる開口部とを有しているカバー部８と、カバー部８の開口部に設けられており、内部空間を外部から遮断可能であるとともに、弾性変形することにより被処理物１０の内部空間内への出入りを許容するカーテン部９とを含む。【選択図】図１
2018099495.tif 000002
【特許請求の範囲】
【請求項１】
被処理物に向って流体を噴射する処理を行う処理部と、前記処理部内を通って前記処理部の外部へ延びるコンベアを有しており被処理物の前記処理部への搬入及び前記処理部からの搬出のいずれか一方または両方を行う搬送機構と、を有している物品処理装置に取り付けられる遮音機構であって、
前記コンベアのうち前記処理部の筐体の外部に位置する部分を覆うとともに、前記コンベアによる被処理物の搬送を妨げないように、内部空間と、前記内部空間の出入口となる開口部とを有しているカバー部と、
前記カバー部の前記開口部に設けられており、前記内部空間を外部から遮断可能であるとともに、弾性変形することにより前記被処理物の前記内部空間内への出入りを許容するカーテン部と、
を含む遮音機構。
【請求項２】
前記カーテン部は、前記コンベアの延びる方向において該コンベアの端部の外側に配置されている、請求項１に記載の遮音機構。
【請求項３】
前記カーテン部はスリットが形成された可撓性のシート状部材または布材である、請求項１または２に記載の遮音機構。
【請求項４】
前記カバー部は前記内部空間を囲むフレーム状の剛体であり、前記カーテン部は前記カバー部とは別に形成されて該カバー部に取り付けられている、請求項３に記載の遮音機構。
【請求項５】
前記カーテン部は面密度が０．１ｋｇ/ｍ２以上、１．０ｋｇ/ｍ２未満である材料から形成されている、請求項１から４のいずれか１項に記載の遮音機構。
【請求項６】
前記カーテン部は、ポリエステル系布地にポリ塩化ビニルをコーティングしたターポリンシート、ポリ塩化ビニルシート、ポリエチレンシートあるいは発泡ポリエチレンシート、ポリプロピレンシートあるいは発泡ポリプロピレンシートから選ばれる１種あるいは２種以上のシート材料で形成されている、請求項１から５のいずれか１項に記載の遮音機構。
【請求項７】
。
前記カバー部内に、前記カーテン部に対して実質的に平行に並べられている１つまたは複数の中間カーテン部をさらに含み、前記カバー部内に前記カーテン部と前記中間カーテン部の多重構造が構成されている、請求項１から６のいずれか１項に記載の遮音機構。
【請求項８】
前記中間カーテン部は面密度が０．１ｋｇ/ｍ２以上、１．０ｋｇ/ｍ２未満である材料から形成されている、請求項７に記載の遮音機構。
【請求項９】
前記中間カーテン部は、ポリエステル系布地にポリ塩化ビニルをコーティングしたターポリンシート、ポリ塩化ビニルシート、ポリエチレンシートあるいは発泡ポリエチレンシート、ポリプロピレンシートあるいは発泡ポリプロピレンシートから選ばれる１種あるいは２種以上のシート材料でから形成されている、請求項７または８に記載の遮音機構。
【請求項１０】
前記カバー部は前記カーテン部と一体的に形成されている、請求項３に記載の遮音機構。
【請求項１１】
請求項１から１０のいずれか１項に記載の遮音機構と、前記物品処理装置とを含む、物品処理システム。
【請求項１２】
前記物品処理装置の前記コンベアは、前記処理部内を通り前記処理部の両側方に延びており、前記処理部の前記筐体の一側部には、前記コンベアによって搬送される被処理物を搬入するための入口部が設けられ、前記筐体の他側部には、前記コンベアによって搬送される被処理物を搬出するための出口部が設けられており、
前記物品処理装置の前記入口部に対向する位置と前記出口部に対向する位置とに前記遮音機構がそれぞれ配置されている、請求項１１に記載の物品処理システム。
【請求項１３】
前記物品処理装置の前記コンベアは、前記処理部内を通り前記処理部の両側方に延びており、前記処理部の前記筐体の一側部には、前記コンベアによって搬送される被処理物を搬入するための入口部が設けられ、前記筐体の他側部には、前記コンベアによって搬送される被処理物を搬出するための出口部が設けられており、
前記遮音機構は、前記物品処理装置の前記入口部に対向する位置に配置されている前記カバー部及び前記カーテン部と、前記物品処理装置の前記出口部に対向する位置に配置されている前記カバー部及び前記カーテン部と、前記処理部と対向する位置に配置されて両方の前記カバー部を繋いでいる連結部とを含む、請求項１１に記載の物品処理システム。
【請求項１４】
前記連結部の内面に吸音材が配置されている、請求項１３に記載の物品処理システム。
【請求項１５】
前記連結部の内面であって、前記カバー部の内部を除く位置に吸音材が配置されている、請求項１３に記載の物品処理システム。
【請求項１６】
前記吸音材は、ポリプロピレンからなる不織布である、請求項１４または１５に記載の物品処理システム。
【請求項１７】
前記連結部と前記カバー部の少なくとも一部が一体的に形成されている、請求項１３から１６のいずれか１項に記載の物品処理システム。
【請求項１８】
前記物品処理装置の前記入口部には、噴射される流体の飛散を抑制可能であるとともに、弾性変形することにより前記被処理物の前記処理部内への搬入を許容する入口カーテンが設けられ、
前記物品処理装置の前記出口部には、噴射される流体の飛散を抑制可能であるとともに、弾性変形することにより前記被処理物の前記処理部内から外部への搬出を許容する出口カーテンが設けられ、
前記入口カーテンと前記一側部側の前記遮音機構の前記カーテン部とは被処理物の搬送方向の上流側から見て重なる位置にあって多重カーテン構造を構成し 、
前記出口カーテンと前記他側部側の前記遮音機構の前記カーテン部とは被処理物の搬送方向の下流側から見て重なる位置にあって多重カーテン構造を構成している、請求項１１から１７のいずれか１項に記載の物品処理システム。
【請求項１９】
前記物品処理装置は食器洗浄機であり被処理物は食器である、請求項１１から１８のいずれか１項に記載の物品処理システム。
【発明の詳細な説明】
【技術分野】
【０００１】
本発明は、食器洗浄機等の物品処理装置に取り付けられる遮音機構と、それを含む物品処理システムに関する。
【背景技術】
【０００２】
従来、被処理物に流体を噴射することによって様々な処理を行う物品処理装置において、多数の物品を処理するために、物品に向けて流体を噴射する処理部と、処理部への物品の搬入及び搬出を行うための搬送機構とを有する装置がある。特に、搬送機構として、処理部を通って処理部の両側方に延びるコンベアを有する装置は、コンベアによって物品を連続的に搬送して、処理部の一側部から物品を搬入して処理部において処理を行い、続けて処理部の他側部から外部へ処理済みの物品を搬出することにより、効率良く多数の物品の処理が行える。このような物品処理装置の例としては、特許文献１，２に開示されているような、食器を被処理物として用い、洗剤や水を噴射して洗浄を行う食器洗浄機が一般的である。
【先行技術文献】
【特許文献】
【０００３】
【特許文献１】特開２００８−２２０５０３号公報
【特許文献２】実用新案登録第３０３０１０９号公報
【発明の概要】
【発明が解決しようとする課題】
【０００４】
特許文献１，２に開示されている食器洗浄機等の物品処理装置においては、特に流体（例えば洗剤や水等）の被処理物への噴射に起因する騒音が大きいという問題がある。
【０００５】
そこで、本発明の目的は、搬送機構によって連続的に搬送される被処理物に対して流体を噴射して処理を行う物品処理装置における騒音の問題を軽減するための遮音機構と、それを有する物品処理システムを提供することにある。
【課題を解決するための手段】
【０００６】
本発明の遮音機構は、被処理物に向って流体を噴射する処理を行う処理部と、処理部内を通って処理部の外部へ延びるコンベアを有しており被処理物の処理部への搬入及び処理部からの搬出のいずれか一方または両方を行う搬送機構と、を有している物品処理装置に取り付けられる遮音機構であって、コンベアのうち処理部の筐体の外部に位置する部分を覆うとともに、コンベアによる被処理物の搬送を妨げないように、内部空間と、内部空間の出入口となる開口部とを有しているカバー部と、カバー部の開口部に設けられており、内部空間を外部から遮断可能であるとともに、弾性変形することにより被処理物の内部空間内への出入りを許容するカーテン部と、を含む。
【発明の効果】
【０００７】
本発明によると、処理部内において生じた騒音が、搬送機構のコンベアの位置から外部に漏れることを抑えて騒音を軽減することが可能であり、かつコンベアによる被処理物の搬送を妨げることがない。
【図面の簡単な説明】
【０００８】
【図１】本発明の一実施形態の物品処理システムを模式的に示す正面図である。
【図２】図１に示す物品処理システムの物品処理装置の一例である食器洗浄機の要部を示す斜視図である。
【図３】図１に示す物品処理システムの遮音機構の斜視図である。
【図４】本発明の他の実施形態の遮音機構を示す斜視図である。
【図５】（ａ）は図４に示す遮音機構の平面図、（ｂ）はその正面図、（ｃ）はその側面図である。
【図６】図４に示す遮音機構の他の構成例の内面を示す斜視図である。
【図７】本発明の物品処理システムの遮音機構の変形例の斜視図である。
【図８】本発明の他の実施形態の遮音機構の要部を模式的に示す概略斜視図である。
【図９】図８に示す遮音機構の要部を模式的に示す概略断面図である。
【発明を実施するための形態】
【０００９】
以下、本発明の実施形態について図面を参照して説明する。
図１に模式的に示す本発明の物品処理システムは、主に物品処理装置（図２）と遮音機構（図３）とを含んでいる。まず、物品処理装置の一例である食器洗浄機６について、図１，２を参照して説明する。食器洗浄機６は、主に、物品（被処理物１０）に洗剤や水等の流体を噴射して洗浄処理を行う処理部１と、処理部１内を通って処理部１の筐体の両側方に延びるコンベア３と図示しない駆動手段とを含む搬送機構２と、を有している。この食器洗浄機６では、コンベア３の一端部に置かれた被処理物１０が、処理部１の一側部の入口部１ａから処理部１内に搬入される。処理部１内では、ノズル４から洗剤や水などの流体１３が被処理物１０に向けて噴射されて洗浄処理が行われる。洗浄が行われた被処理物１０は、処理部１の他側部の出口部１ｂから外部に搬出される。処理部１の入口部１ａおよび出口部１ｂには、処理部１内でノズル４から噴射される流体１３が飛散するのを抑え、かつ弾性変形することにより被処理物１０の出入りを許容する、スリット５ａが形成された可撓性シート状の入口カーテン５および出口カーテン５が設けられている。なお、図２には入口部１ａ側を示しているが、出口部１ｂ側も実質的に同じ構成である。
【００１０】
このような構成の食器洗浄機６では、特に処理部１において噴射されて被処理物１０や筐体の内面に当たる流体１３の騒音が大きい。そこで、本発明では、食器洗浄機６に遮音機構７（図３）を取り付けることにより、騒音を低減している。その技術的背景について説明する。
【００１１】
前述した構成の食器洗浄機６における騒音を本発明者が測定したところ、処理部１の筐体の外部では、筐体の側方に延びているコンベア３の位置において大きな音量が測定された。このことから、本発明者は、処理部１の筐体の内部で発生した騒音が、コンベア３の、筐体の側方の部分を通って外部に拡散していると考えられることを初めて見出した。コンベア３は、主に、実質的に平行に並べて配置されている複数の回転体（ローラ）３ａと各ローラ３ａを繋ぐ接続片３ｂとからなり、各ローラ３ａおよび各接続片３ｂの間には、ノズル４から噴射された流体１３が溜まらないように（流体溜まりが形成されないように）、隙間が設けられている。その結果、この隙間を通って、処理部１内で発生した騒音が外部に伝わっていると考えられる。この騒音の伝達経路は、入口カーテン５および出口カーテン５では遮断されていない。本発明者が初めて見出したこの知見に基づいて、本発明では、コンベア３の処理部１の側方に延びている部分を覆う遮音機構を設けた。
【００１２】
遮音機構の一例は、図１，３に示すように、物品処理装置（食器洗浄機６）の処理部１の筐体の入口部１ａまたは出口部１ｂに対向して配置されるカバー部８と、カバー部８に取り付けられたカーテン部９とを含む。具体的には、カバー部８は、アクリル板等からなりコンベア３の一部を覆う上板８ａと側板８ｂとからなるフレーム状の剛体である。このカバー部８は、コンベア３による被処理物１０の搬送を妨げないような内部空間８ｃを有するとともに、被処理物１０を内部空間８ｃに進入または内部空間８ｃから退出させるための開口部８ｄと、処理部１の入口部１ａまたは出口部１ｂに接続される接続部８ｅを有しており、処理部１の筐体の内部と連通するトンネル状に形成されている。そして、このカバー部１ａの開口部８ｄを塞ぐように、スリット９ａが形成された樹脂製の可撓性のシート状部材または布材からなるカーテン部９が取り付けられている。カーテン部９は、遮音機構７が物品処理装置（食器洗浄機６）に取り付けられた状態で、開口部８ｄを塞いで内部空間８ｃを外部から遮断可能である。また、カーテン部９はコンベア３の延びる方向においてコンベア３の端部の外側に位置しており、スリット８ａで分割された各部がそれぞれ弾性変形することによって隙間を生じさせ、被処理物１０の内部空間８ｃ内への進入や内部空間８ｃからの退出を許容することができる。
【００１３】
このようなカバー部８とカーテン部９とからなる遮音機構７が、処理部１の筐体の入口部１ａに対向する位置と出口部１ｂに対向する位置とにそれぞれ配置されることにより、食器洗浄機６のコンベア３は処理部１の筐体の外側においても両遮音機構７によって覆われ、外部に露出しなくなる。その結果、外部に伝わる騒音が低減する。このことは実験的にも確認された（一実験例では、両遮音機構７を取り外した状態では８５ｄＢ程度の騒音が測定されたのに対し、両遮音機構７を取り付けると、同じ動作条件で８０ｄＢ程度まで騒音が低減した）。また、遮音機構７のカーテン部９と食器洗浄機６の入口カーテン５及び出口カーテン５は実質的に同じ構成であり、いずれもスリット５ａ，９ａで分割された各部がそれぞれ弾性変形することによって、コンベア３による被処理物１０の搬送を妨げない。従って、多数の被処理物１０を連続的に搬送しながら処理（洗浄）するという物品処理の効率をほとんど低下させない。
【００１４】
また、遮音機構７のカーテン部９と入口カーテン５は被処理物１０の搬送方向の上流側から見て重なって位置し、多重カーテン構造を構成するため、被処理物１０の搬送時にも遮音機構７のカーテン部９と入口カーテン５のいずれか一方は弾性変形せずに閉じている可能性が高く、遮音の信頼性が高い。遮音機構７のカーテン部９と出口カーテン５も被処理物１０の搬送方向の下流側から見て重なって位置し、多重カーテン構造を構成するため、前述したのと同様の効果が得られる。
【００１５】
前述した実施形態では、処理部１の筐体の入口部１ａに対向する位置と出口部１ｂに対向する位置とにそれぞれ遮音機構７が配置されているが、入口部１ａ側のカバー部と出口部１ｂ側のカバー部とを連結部により連結して一体化することも可能である。そのような構成の遮音機構１１を図４，５に示している。この遮音機構１１では、食器洗浄機６の処理部１及び搬送機構２の全体の正面前方に重なる金属板状の連結部１１ａの両側部にそれぞれカバー部８が取り付けられるか、または一体的に形成されている。それらのカバー部８にはカーテン部９がそれぞれ取り付けられており、カバー部８およびカーテン部９の構成は、前述した実施形態と実質的に同じである。この構成によると、図１，３に示す例と同様の効果を奏することができるとともに、食器洗浄機６への遮音機構１１の取り付けが容易になる。すなわち、両側部にカバー部８およびカーテン部９が取り付けられた金属板状の連結部１１ａを、物品処理装置（食器洗浄機６）の正面に配置すればよく、複数のカバー部を別々に取り付ける必要は無い。なお、処理部１及び搬送機構２の正面前方を覆う連結部１１ａには、メンテナンス用の操作部１１ｂと開閉扉１１ｃが設けられている。
【００１６】
本実施形態において遮音効果をより向上させるために、図６に示すように連結部１１ａの内面に吸音材１４を配置することができる。この構成によると、前述したカバー部８およびカーテン部９による遮音効果に加えて、吸音材１４が音を吸収するため、より大きな遮音効果が得られる。連結部１１ａの内面のみならず、カバー部８の内側にも同様な吸音材を配置することもできるが、食器洗浄機のように液体を噴射する物品処理装置の遮音機構の場合には、吸音材が液体（液体洗剤や水など）を吸収して保持し、衛生上の問題を生じる可能性がある。従って、図６に示す例のように、食器洗浄機等の遮音機構では、噴射される液体が付着しないようにカバー部８の外側のみに吸音材１４を配置している。液体が付着するおそれがない個所には、できるだけ広い範囲にわたって吸音材１４を配置することが、遮音効果のために好ましい。吸音材１４としては、グラスウール、ロックウール、フェルト、不織布、ポリウレタンフォーム、発泡ゴム、発泡樹脂等を用いることができる。特に吸音材１４がポリプロピレンの不織布から構成されていると、湿度に対する耐久性が高く、ほとんど液体を吸収しないため、食器洗浄機等の遮音機構に適している。
【００１７】
図７には、遮音効果の変形例として、カバー部とカーテン部が可撓性のシート状部材または布材１２によって一体的に形成された構成が示されている。すなわち、本変形例では、処理部の筐体の入口部１ａを塞ぐ位置に、入口カーテン５と重なるように、可撓性のシート状部材または布材１２が取り付けられている。この可撓性のシート状部材または布材１２は、入口部１ａの高さ方向の寸法よりも長さが長いため、処理部１の筐体と搬送機構２のコンベア（図７では図示省略しているが、図２と実質的に同じ構成である）とに沿うように緩やかに湾曲している。それにより、この可撓性のシート状部材または布材１２は、搬送機構２のコンベアの、処理部１の筐体の外側に位置する部分を覆っている。そして、スリット１２ａが設けられているため、スリット１２ａで分割された各部がそれぞれ弾性変形することによって隙間を生じさせ、被処理物１０の進入や退出を許容することができる。すなわち、この可撓性のシート状部材または布材１２が、カバー部とカーテン部の機能を兼ね備えた遮音機構として機能する。本変形例の可撓性のシート状部材または布材１２も、処理部１の入口部１ａに設けられた入口カーテン５と重なるように配置されており、多重カーテン構造を構成している。なお、図７には、処理部１の入口部１ａに遮音機構１２が取り付けられた構成を示しているが、処理部１の出口部１ｂにおいても、同様の遮音機構１２を取り付けることができ、同様の効果を得ることができる。
【００１８】
以上説明したいずれの構成においても、搬送機構２のコンベアの処理部１の筐体の外側に位置する部分が遮音機構７，１２によって覆われているため、処理部１の内部で発生した騒音が外部に伝達される経路が遮断され、騒音の軽減が図れる。そして、スリットが形成されたカーテン部９，１２を用いているため、コンベアによる被処理物１０の搬送の妨げとなることはない。また、物品処理装置（食器洗浄機６）に予め設けられている入口カーテン５や出口カーテン５と重なるようにカーテン部９，１２を配置して多重カーテン構造を構成しているため、遮音の信頼性が高い。
【００１９】
本発明は、食器洗浄機に限らず、被処理物に何らかの処理を施す物品処理装置全般において、騒音軽減のために用いることができる。特に、処理部に搬送される被処理物に対して流体１３を噴射することによって処理を行う装置（例えば塗装装置や乾燥装置など）では、搬送装置のコンベアからの騒音伝達経路を遮断することが極めて効果的である。また、搬送装置が処理部１の両側方に延びておらず一方の側方のみに延びており、１つの開口部のみから被処理物の進入と退出とを行わせる装置においても、本発明を適用可能である。その場合、遮音機構は１つだけ設ければよい。また、搬送装置が処理部１の両側方に延びている構成であっても、一方の側方のみに遮音機構を配置する構成であってもある程度の効果は得られる。搬送装置２のコンベアは、ローラ３ａと接続片３ｂとからなる構成に限られず、複数のローラのみで構成されていてもよく、また無限軌道からなるものであってもよい。その他、本発明の遮音機構および物品処理システムは、各部の形状や材料等に関して前述した実施形態や変形例に限定されるものではなく、様々な修正や変更が可能である。
【００２０】
次に、本発明において、さらに遮音効果を高めた実施形態について説明する。この構成では、カバー部８の開口部８ｄに設けられているカーテン部９に加えて、開口部８ｄと処理部１の筐体の入口部１ａまたは出口部１ｂとの間であって、被処理物の搬送方向の上流側または下流側から見てカーテン部９に重なる位置に、中間カーテン部１５が配置されている。具体的には、図８に示す実施形態では、カバー部８の開口部８ｄ（図３参照）の外側から処理部１の筐体の入口部１ａまたは出口部１ｂ（図１参照）までの間に、カーテン部９と２つの中間カーテン部１５が配置されている。カーテン部９と中間カーテン部１５の各々は、スリット９ａ，１５ａを有する薄いシート材からなる２層構造である。一例としては、長いシート材を２つ折りにして構成された２層構造のカーテン部９と、同様の２層構造の２つの中間カーテン部１５が設けられ、カーテン部９と中間カーテン部１５は三重のカーテン部を構成しているため、それぞれがスリットを有する合計６層のシート材からなる（さらに処理部１の入口カーテン５または出口カーテン５を加えると、入口カーテン５または出口カーテン５が単層構造であれば合計７層、入口カーテン５または出口カーテン５も２層構造であれば合計８層のシート材が存在する）。カーテン部９および各中間カーテン部１５は互いに３ｍｍ以上、望ましくは５ｍｍ以上、さらに望ましくは８ｍｍ以上の間隔を置いて実質的に平行に配置されている。カーテン部９，１５を構成する各シート材のスリット９ａ，１５ａは、搬送方向上流側または下流側から見て重ならないようにずらして形成されている。その理由は、１つのシート材が、被処理物が進行する際にスリットが開いて被処理物が通過可能な空間を形成した場合にも、そのスリットが開いた部分に対向する位置では、他のシート材にはスリットが設けられておらず閉じた状態になるので、少なくとも他のシート材による遮音効果が維持されるからである。全てのシート材（図８に示す例では６層のシート材）の全てにおいてスリットの位置がずらしてあってもよいが、必ずしもそのような構成にする必要はない。少なくとも、１つのカーテン部９または中間カーテン部１５を構成する隣り合うシート材のスリットがずらして形成されていれば、前述した効果が得られる。カーテン部９および各中間カーテン部１５の相互の間隔は、被処理物の円滑な通過を妨げず、かつ、スリット９ａ，１５ａが開いて被処理物が通過可能な空間が、搬送方向に見て互いに重なる位置に同時に形成されることをできるだけ抑えるために、３ｍｍ以上、望ましくは５ｍｍ以上、さらに望ましくは８ｍｍ以上であることが好ましい。ただし、中間カーテン部１５の数は限定されず、各々のカーテン部９および中間カーテン部１５を構成するシート材の層数も限定されない。
【００２１】
図９には、中間シート材１５の取り付け方法の一例を示している。具体的には、カバー部８の天板８ｆの内面にＬ字形のアンクル１６を取り付け、このアンクル１６にフック１７を取り付けておく。一方、図８，９に示すように、前述した通り２つ折りのシート材からなる中間カーテン部１５の折り曲げ部に支持軸１８を通すとともに、折り曲げ部の一部に切り欠き１５ｂを設けて支持軸１８を露出させる。そして、切り欠き１５ｂを介して露出している支持軸１８をフック１７に係止させることにより、カバー部８の天板８ｆに吊り下げられた形態で中間カーテン部１５が支持される。カバー部８の開口部８ｄに位置するカーテン部９も同様な方法で支持してもよいが、カーテン部９は、図１，３〜６に示すようにカバー部８の開口部８ａの外側に貼り付けてもよい。
【００２２】
カーテン部９および中間カーテン部１５は、カバー部８で容易に支持するための軽さと、被処理物の円滑な通過を妨げないようにするための柔軟性と、被処理物が存在しない部分ではしっかりと閉じるための剛性と、遮音効果を発揮するための重さや厚さや遮音性等を兼ね備えた材料からなることが好ましい。具体的には、単位面積当たりの重量、すなわち面密度が０．１ｋｇ/ｍ２以上、１．０ｋｇ/ｍ２未満、望ましくは、０．１５ｋｇ/ｍ２以上、０．９ｋｇ/ｍ２未満、さらに望ましくは０．２ｋｇ/ｍ２以上、０．８ｋｇ/ｍ２未満であり、非通気性および耐水性などの特性を有したシート形状の材料、例えば、ポリエステル系布地にポリ塩化ビニルをコーティングしたターポリンシート、ポリ塩化ビニルシート、ポリエチレンシートあるいは発泡ポリエチレンシート、ポリプロピレンシートあるいは発泡ポリプロピレンシート等の材料からなることが好ましい。面密度が０．１ｋｇ/ｍ２を下回ると、十分な遮音性を得ることができず、一方、１．０ｋｇ/ｍ２以上だと非処理物の円滑な通過を妨げる。
【符号の説明】
【００２３】
１      処理部
１ａ    入口部
１ｂ    出口部
２      搬送機構
３      コンベア
３ａ    回転体（ローラ）
３ｂ    接続片
４      ノズル
５      入口カーテン、出口カーテン
５ａ    スリット
６      食器洗浄機
７，１１，１２      遮音機構
８      カバー部
８ａ    上板
８ｂ    側板
８ｃ    内部空間
８ｄ    開口部
８ｅ    接続部
８ｆ    天板
９      カーテン部
９ａ，１２ａ，１５ａ      スリット
１０    物品（被処理物）
１１ａ  連結部
１１ｂ  操作部
１１ｃ  開閉扉
１３    流体
１４    吸音材
１５    中間カーテン部
１５ｂ  切り欠き
１６    アンクル
１７    フック
１８    支持軸
【図１】
2018099495.tif 000003
【図２】
2018099495.tif 000004
【図３】
2018099495.tif 000005
【図４】
2018099495.tif 000006
【図５】
2018099495.tif 000007
【図６】
2018099495.tif 000008
【図７】
2018099495.tif 000009
【図８】
2018099495.tif 000010
【図９】
2018099495.tif 000011